(57)【要約】  【課題】複数の製品に対して同一の梱包ケースを用いた場合でも、内容物を容易に確認できる梱包ケースを提供する。  【解決手段】紙製梱包ケース１は、その長手方向に沿う４つの周壁をなす左側壁２、上壁３、右側壁４および底壁５、左側壁２を覆う左フラップ８、上壁３を覆う上フラップ９、ならびに梱包ケース１の長手方向両端部をそれぞれ覆うサイドフラップ６，７を備えている。左側壁２および上壁３と、左フラップ８および上フラップ９との間には、収容部が形成されている。収容部には、使用説明書１３が収容されている。上フラップ９には、透明フィルム１７が貼られた窓１６が形成されており、窓１６を介して、使用説明書１３に印刷されたアイテム番号１９を視認することができるようになっている。【選択図】        図１Ｃ
2006036334.tif 000002
【特許請求の範囲】
【請求項１】
ダンボール紙などの紙製の梱包ケースであって、
上記梱包ケースの少なくとも一面は、内壁および外フラップの二重構造とされ、
上記内壁および外フラップの間に、書類を挟んで収容できる収容部が形成されており、
上記外フラップには、上記収容部を視認できる窓が形成されていることを特徴とする紙製梱包ケース。
【請求項２】
上記窓には、透明フィルムが貼られていることを特徴とする、請求項１記載の紙製梱包ケース。
【請求項３】
上記梱包ケースは、画像形成装置におけるメインチャージャー、転写チャージャ、トナーカートリッジ、ゴムローラ等の細長い部材を収容するためのケースであり、
異なる部材を収容できるように汎用的な形状および大きさにされていることを特徴とする、請求項１または２記載の紙製梱包ケース。
【発明の詳細な説明】
【技術分野】
【０００１】
この発明は、紙製の梱包ケースに関し、より詳しくは、画像形成装置に用いられるメインチャージャー、転写チャージャ、トナーカートリッジ、ゴムローラ等の細長い部材を収容するための梱包ケースに関する。
【背景技術】
【０００２】
製品を梱包するため梱包ケースは、通常、その製品に合わせた大きさや形状を有する専用のものが使用される。たとえば、下記特許文献１には、フレキシブルディスク（ＦＤ）を収容するために適した梱包ケース（ホルダー）が開示されている。
また、製品を収容する梱包ケースには、その製品以外にその製品の保証書等の書類が収容される場合がある。たとえば、下記特許文献２には、家電製品を収容するための梱包ケースであって、保証書を容易に取り出しおよび再収容できるものが開示されている。
【特許文献１】特開平７−３００１７４号公報
【特許文献２】実公平６−３５９２９号公報
【発明の開示】
【発明が解決しようとする課題】
【０００３】
しかしながら、製品別に専用の梱包ケースを用意すると、製品の種類（アイテム数）が多くなるに従い梱包ケースの種類も多くなるので、コストや梱包ケースを管理するための労力が増大する。
一方、製品の種類が異なっても、その大きさや形状がほぼ同じ場合は、複数の製品について共通の梱包ケースを使用できることがある。このような場合、梱包ケースに内容物（製品の種類）を表示するラベルを貼り付けたり、そのような表示を直接梱包ケースに印刷したりする必要がある。このようなラベルや印刷がなければ、一旦、梱包ケースに製品を収容した後は、内容物を確認するためには梱包ケースを開いて内容物を取り出さねばならず、取り出しおよび再収容に手間がかかるという問題があった。
【０００４】
また、製品と共に使用説明書や保証書等の書類を、梱包ケースに収容する場合、これらの書類の入れ忘れがないか否かを確認するためには、やはり、梱包ケースを開かねばならず、確認に手間を要した。
そこで、この発明の目的は、複数の製品に対して同一の梱包ケースを用いた場合でも、内容物を容易に確認できる梱包ケースを提供することである。
【０００５】
この発明の他の目的は、使用説明書等の書類が収容されていることを容易に確認できる梱包ケースを提供することである。
【課題を解決するための手段】
【０００６】
上記の目的を達成するための請求項１記載の発明は、ダンボール紙などの紙製の梱包ケースであって、上記梱包ケースの少なくとも一面は、内壁および外フラップの二重構造とされ、上記内壁および外フラップの間に、書類を挟んで収容できる収容部が形成されており、上記外フラップには、上記収容部を視認できる窓が形成されていることを特徴とする紙製梱包ケースである。
【０００７】
この発明によれば、内壁および外フラップにより形成される収容部に、使用説明書や保証書などの書類を収容することができる。収容部に収容されたこれらの書類は、梱包ケースを開けることなく、収容部に形成された窓を介して視認することができる。したがって、この梱包ケースは、書類が収容されていることを容易に確認することができる。
また、使用説明書や保証書などの書類には、通常、その表紙などに、アイテム番号（型番）や製品の名称などの製品の種類を特定する表示が印刷されている。書類を収容部に収容する際、製品の種類を特定する表示が収容部に形成された窓を介して視認できるようにしておくことにより、梱包ケースを開けずにその内部に収容された製品の種類を確認することができる。すなわち、この梱包ケースは内容物の確認が容易である。
【０００８】
この場合、製品がほぼ同じ形状および大きさを有する限り、異なる製品に対して同じ形状および大きさの梱包ケースを使用できるだけでなく、梱包ケースに内容物（製品）を表示するラベルを貼り付けたり、そのような表示を直接梱包ケースに印刷したりする必要もない。したがって、梱包ケースを共通化してコストの低減を図ることができる。
請求項２記載の発明は、上記窓には、透明フィルムが貼られていることを特徴とする、請求項１記載の紙製梱包ケースである。
【０００９】
この発明によれば、透明フィルムにより、収容部に収容された書類を保護することができる。書類や、書類に印刷された製品の種類を特定する表示は、透明フィルムを介して視認することができる。
請求項３記載の発明は、上記梱包ケースは、画像形成装置におけるメインチャージャー、転写チャージャ、トナーカートリッジ、ゴムローラ等の細長い部材を収容するためのケースであり、異なる部材を収容できるように汎用的な形状および大きさにされていることを特徴とする、請求項１または２記載の紙製梱包ケースである。
【００１０】
画像形成装置におけるメインチャージャー、転写チャージャ、トナーカートリッジ、ゴムローラ等の部材は、いずれも画像形成装置で用いられる用紙の最大幅に対応する長さを有する細長い形状を有している。このため、梱包ケースを、これらの異なる部材を収容できる汎用的な形状および大きさを有するものとすることができる。この梱包ケースをこれらの部材に共通に使用して、効率的にコストを削減できる。
【発明を実施するための最良の形態】
【００１１】
以下では、この発明の実施の形態を、添付図面を参照して詳細に説明する。
図１Ａないし図１Ｃは、本発明の一実施形態に係る紙製梱包ケースの図解的な斜視図である。また、図２は、図１Ａないし図１Ｃに示す梱包ケースの展開図である。
この梱包ケース１は、ダンボールや厚紙などの紙からなり、ほぼ直方体の形状を有する。梱包ケース１は、画像形成装置におけるメインチャージャー、転写チャージャ、トナーカートリッジ、ゴムローラ等の細長い部材（製品）を収容するためのケースである。これらの部材は、画像形成装置で用いられる用紙の最大幅に対応する長さを有しており、梱包ケース１を、これらの異なる部材を収容できるように汎用的な形状および大きさにすることができる。これにより、異なる部材（製品）に対して同じ形状および大きさの梱包ケース１を使用できる。
【００１２】
梱包ケース１は、その長手方向に沿う４つの周壁をなす左側壁２、上壁３、右側壁４および底壁５、ならびに梱包ケース１の長手方向両端部をそれぞれ覆うサイドフラップ６，７を備えている。サイドフラップ６は、上壁３において梱包ケース１の長手方向一端側に設けられており、サイドフラップ７は、底壁５において梱包ケース１の長手方向他端側に設けられている。
【００１３】
左側壁２、上壁３、右側壁４、底壁５およびサイドフラップ６，７により、梱包ケース１の外形は、ほぼ直方体となっている。
サイドフラップ６，７は開閉自在であり、サイドフラップ６，７の一方を開放した状態で、梱包ケース１内に、画像形成装置におけるメインチャージャー、転写チャージャ、トナーカートリッジ、ゴムローラ等の細長い部材（製品）を収容することができる。
【００１４】
また、梱包ケース１は、底壁５と左側壁２とがなす稜に設けられ左側壁２を覆う左フラップ８、左フラップ８の底壁５とは反対側に設けられ上壁３を覆う上フラップ９、および上フラップ９の左フラップ８とは反対側に設けられた補助フラップ１０を備えている。
左フラップ８は、左側壁２とほぼ同じ形状（長方形）および大きさを有しており、上フラップ９は、上壁３とほぼ同じ形状（長方形）および大きさを有している。補助フラップ１０の梱包ケース１の長手方向に沿う長さは、梱包ケース１の長さより短い。
【００１５】
上壁３と右側壁４とがなす稜の中間部には、切り込み１１が形成されており、補助フラップ１０をこの切り込み１１に挿入することにより、左フラップ８および上フラップ９が、それぞれ左側壁２および上壁３に近接した状態（図１Ｃ参照）に保つことができる。
さらに、上フラップ９と補助フラップ１０とがなす稜の中間部には、切り込み１４が形成されており、この切り込み１４に挿入可能な補助フラップ１５が、右側壁４に設けられている。補助フラップ１０を切り込み１１に挿入した後、補助フラップ１５を切り込み１４に挿入することにより、補助フラップ１０が切り込み１１から容易に抜けないようにすることができる。
【００１６】
左側壁２、上壁３、右側壁４、底壁５、左フラップ８、上フラップ９、補助フラップ１０、およびサイドフラップ６，７は、図２に示すように、１枚の紙（たとえば、ダンボール紙）を折り曲げて（一点鎖線部で山折りにして）形成することができる。左側壁２の上壁３とは反対側の辺には、のりしろ２０が設けられており、接着剤により、のりしろ２０を底壁５において左フラップ８との隣接部に接着して箱状の梱包ケース１を製造できる。
【００１７】
上フラップ９には、上フラップ９の所定の領域を切り抜いて得られた窓１６が形成されており、窓１６には透明フィルム１７が貼られている。
図３は、図１ＣのIII−III切断線による梱包ケース１の長手方向に垂直な断面図であり、補助フラップ１０が切り込み１１に挿入され、補助フラップ１５が切り込み１４に挿入された状態を示している。
【００１８】
この状態で、梱包ケース１において、左側壁２および上壁３の部分は、左フラップ８および上フラップ９とともに二重構造をなす。外フラップである左フラップ８および上フラップ９と、内壁をなす左側壁２および上壁３との間には、収容部１２が形成されている。収容部１２には、使用説明書１３が収容されている。
図１Ｃおよび図３を参照して、使用説明書１３は、収容部１２に収容可能な大きさに折り畳まれており、さらに折り畳み後の使用説明書１３は、屈曲部１８で二つ折りするように屈曲されている。使用説明書１３は、屈曲部１８と、梱包ケース１の左側壁２と上壁３とがなす稜（左フラップ８と上フラップ９とがなす稜）とが重なるように、収容部１２に収容されている。
【００１９】
使用説明書１３には、梱包ケース１に収容される製品のアイテム番号１９が印刷されている。使用説明書１３が収容部１２に収容された状態で、窓１６（透明フィルム１７）を介して外部からアイテム番号１９を視認することができるようになっている。別言すれば、収容部１２に収容された使用説明書１３のアイテム番号１９を、外部から視認することができるように、使用説明書１３におけるアイテム番号１９の印刷位置や、上フラップ９における窓１６の形成位置や、収容部１２における使用説明書１３の配置などが決められている。
【００２０】
使用説明書１３は、透明フィルム１７により保護されている。
窓１６を介して、使用説明書１３を視認できることにより、梱包ケース１を開けずに、梱包ケース１に使用説明書１３が収容されていることを確認することができる。
また、窓１６を介して、使用説明書１３に印刷されたアイテム番号１９を視認できることにより、梱包ケース１を開けずに、その内部に収容された製品の種類を確認することができる。すなわち、この梱包ケース１は内容物の確認が容易である。
【００２１】
このため、梱包ケース１に内容物（製品）の表示を印刷したりラベルを貼り付けたり、そのような表示を直接梱包ケース１に印刷する必要がない。そして、上述のように、梱包ケース１は、異なる部材（製品）を収容できるように汎用的な形状および大きさにされているので、梱包ケース１を共通化してコストの低減を図ることができる。
使用説明書１３は、以下のようにして収容部１２に収容することができる。先ず、図１Ａに示すように、補助フラップ１０が切り込み１１から抜かれ、左フラップ８および上フラップ９が開かれた状態にする。次に、左側壁２と上壁３とがなす稜に屈曲部１８が重なるように、使用説明書１３を左側壁２および上壁３の所定の位置にあてがう。そして、左フラップ８および上フラップ９を閉じ、補助フラップ１０を切り込み１１に挿入し、補助フラップ１５を切り込み１４に挿入する。これにより、収容部１２が形成されるとともに、使用説明書１３が収容部１２に収容された状態となる。
【００２２】
以上のように、使用説明書１３は、製品とは別個に出し入れすることができる。
また、補助フラップ１５が切り込み１４に挿入されていることにより、補助フラップ１０が容易に切り込み１１から抜けて左フラップ８および上フラップ９が開き、使用説明書１３が抜け落ちることはない
使用説明書１３を取り出すときは、上記と逆の手順に従えばよい。
【００２３】
以上は、本発明の実施形態の一例であり、本発明はこれに限定されるものではない。たとえば、以上の実施形態では、梱包ケース１の２面が二重構造にされて収容部１２が形成されているが、梱包ケースの１面のみまたは３面以上が二重構造にされて収容部が形成されてもよい。
収容部１２に収容される書類は、使用説明書１３以外に、たとえば、保証書であってもよい。
【００２４】
その他、特許請求の範囲に記載された事項の範囲で種々の設計変更を施すことが可能である。
【図面の簡単な説明】
【００２５】
【図１Ａ】本発明の一実施形態に係る紙製梱包ケースの図解的な斜視図である。
【図１Ｂ】本発明の一実施形態に係る紙製梱包ケースの図解的な斜視図である。
【図１Ｃ】本発明の一実施形態に係る紙製梱包ケースの図解的な斜視図である。
【図２】図１Ａないし図１Ｃに示す梱包ケースの展開図である。
【図３】図１ＣのIII−III切断線による梱包ケースの長手方向に垂直な断面図である。
【符号の説明】
【００２６】
１    梱包ケース
２    左側壁
３    上壁
８    左フラップ
９    上フラップ
１２    収容部
１３    使用説明書
１６    窓
１７    透明フィルム
【図１Ａ】
2006036334.tif 000003
【図１Ｂ】
2006036334.tif 000004
【図１Ｃ】
2006036334.tif 000005
【図２】
2006036334.tif 000006
【図３】
2006036334.tif 000007